(57)【特許請求の範囲】
【請求項１】
地面に設置されるベースプレートと、ヒンジを介してベースプレートの一端に回動自在に取り付けられたリフト機構部とを有しており、ベースプレートは、中央に柱を入れるための切欠きまたは開口が形成され、周縁にはアンカーを打ち込むための複数の透孔があけられており、リフト機構部は、前記ヒンジに連結された基台と、基台上に立設されたレール部材と、レール部材に沿って昇降自在に設けられた柱搭載部材とを備えており、柱搭載部材には柱を挟止するハンドル付きバイス部が一体に設けられている、建抜柱機。
【請求項２】
レール部材にその長さ方向に沿ってラックが設けられ、柱搭載部材には前記ラックと噛合するピニオンおよび該ピニオンを回転させる昇降用ハンドルが設けられており、昇降用ハンドルを回すことで前記ラックとピニオンとの噛合により柱搭載部材が昇降自在となされている、請求項１記載の建抜柱機。
【請求項３】
レール部材の基端部または基台の側面に柱の一端部を載せて該柱をレール部材に沿ってスライドさせるための支持車輪が取り付けられている、請求項１または請求項２記載の建抜柱機。
【請求項４】
レール部材が水平の状態で、該レール部材の先端部分を地面から支持する支持棒を更に有する請求項１〜請求項３のうちのいずれか一項記載の建抜柱機。
【発明の詳細な説明】
【技術分野】
【０００１】
本発明は、照明灯を取り付ける鋼管製ポール等の柱を人力で地面に立設したり、地面から抜脱するのに用いる建抜柱機に関する。
【背景技術】
【０００２】
従来、照明灯を取り付ける鋼管製ポール等の柱を地面に立設する場合、穴掘り機等を用いて予め地面に所定径および所定深さの穴をあけておき、該穴に複数の作業者によって柱を立てるか、或いはクレーン車を用いて柱を吊り上げて立てるのが通常であった。
【先行技術文献】
【特許文献】
【０００３】
【特許文献１】特開平２００３−３０６２９４号公報
【特許文献２】特開平２００５−３４３６７１号公報
【発明の概要】
【発明が解決しようとする課題】
【０００４】
しかしながら、複数の作業者の人力のみで柱を立てる場合、柱自体が重いため、これを起立させて穴に入れるのは重労働であり、また立設作業の途中で誤って柱が倒れて作業者自身や作業者の足が柱の下敷きになる危険もあった。
【０００５】
一方、クレーン車を使って柱を立てる場合、クレーン車の使用に費用がかかる上、柱の立設場所までクレーン車を誘導するための誘導路の確保と柱の立設場所に隣接してクレーン車のアウトリガーを突出させて該クレーン車を安定的に設置するためのスペースの確保が必要となり、そのため、柱の立設場所までの道路幅が狭かったり、柱の立設場所が狭隘な場合には、クレーン車を使用することができないという問題があった。
【０００６】
本発明の目的は、クレーン車を使用せずに、一乃至数人の人力で安全且つ容易に、しかも安価に柱の立設並びに抜脱作業が行える新規な建抜柱機を提供することにある。
【課題を解決するための手段】
【０００７】
請求項１記載の本発明は、地面に設置されるベースプレートと、ヒンジを介してベースプレートの一端に回動自在に取り付けられたリフト機構部とを有しており、ベースプレートは、中央に柱を入れるための切欠きまたは開口が形成され、周縁にはアンカーを打ち込むための複数の透孔があけられており、リフト機構部は、前記ヒンジに連結された基台と、基台上に立設されたレール部材と、レール部材に沿って昇降自在に設けられた柱搭載部材とを備えており、柱搭載部材には柱を挟止するハンドル付きバイス部が一体に設けられている建抜柱機である。
【０００８】
請求項２記載の本発明は、前記請求項１記載の建抜柱機について、レール部材にその長さ方向に沿ってラックが設けられ、柱搭載部材には前記ラックと噛合するピニオンおよび該ピニオンを回転させる昇降用ハンドルが設けられており、昇降用ハンドルを回すことで前記ラックとピニオンとの噛合により柱搭載部材が昇降自在となされているものである。
【０００９】
請求項３記載の本発明は、前記請求項１または請求項２記載の建抜柱機について、レール部材の基端部または基台の側面に柱の一端部を載せて該柱をレール部材に沿ってスライドさせるための支持車輪が取り付けられていることを特徴とするものである。
【００１０】
請求項４記載の本発明は、前記請求項１〜請求項３のうちのいずれか一項記載の建抜柱機について、レール部材が水平の状態で、該レール部材の先端部分を地面から支持する支持棒を更に有することを特徴とするものである。
【発明の効果】
【００１１】
本発明に係る請求項１および請求項２記載の建抜柱機によれば、予め掘削した地面の穴の周縁部分にベースプレートをアンカーで固定し、リフト機構部におけるレール部材を水平にした状態で該レール部材と平行に柱搭載部材上にそのバイス部を用いて柱を挟止せしめた後、リフト機構部を９０°回動させてそのレール部材および柱を一緒に起立させ、次に柱搭載部材を下降させるだけで容易に地面の穴内に挿入して立設することができる。
【００１２】
また、立設された柱を抜く場合には、前記と同様に地面にベースプレートを固定した上、リフト機構部の柱搭載部材におけるバイス部に前記柱を挟止して柱搭載部材を上昇させることで容易に地面から柱を引き抜くことができる。
【００１３】
そのため、本発明の建抜柱機によれば、照明灯を先端に取り付けた鋼管製ポールのような柱を一人の作業者だけでも横倒れの危険なく、安全且つスムーズに立設したり、或いは抜脱することができ、またクレーン車も不要であるため、従来のように、費用がかからず安価であり、柱の設置場所が狭隘な場合でも問題なく立設・抜脱作業が行える。
【００１４】
また、リフト機構部におけるレール部材や基台に支持車輪を設けた本発明の請求項３に係る建抜柱機によれば、該支持車輪上に柱を載せて該柱をレール部材の先端側方向に容易にスライド移動させることができ、そのため柱搭載部材上への柱の搭載並びにバイス部への柱の挟止作業がより簡単に行える。
【００１５】
更に、レール部材の先端部分を支持する支持棒を備えた本発明の請求項４に係る建抜柱機によれば、別途に、人手や台を要することなく、レール部材を水平に支持することができるという利点がある。
【図面の簡単な説明】
【００１６】
【図１】本発明の一実施形態を示す建抜柱機の平面図である。
【図２】同実施形態の建抜柱機を地面に設置した状態を示す概略図である。
【図３】同実施形態の建抜柱機を用いて地面に柱を立設する作業を示す概略図であって、（ａ）は作業者が柱を立てる状態、（ｂ）は立てた柱を下降させる状態を示す。
【図４】リフト機構部に柱が取り付けられている状態を示す斜視図である。
【図５】レール部材における柱搭載部材の昇降機構を示す斜視図である。
【発明を実施するための形態】
【００１７】
次に、本発明の実施形態を図面にしたがって説明するが、本発明はかかる実施形態に限定されるものではない。
【００１８】
図１および図２に示すように、本実施形態の建抜柱機１は、地面Ｇに設置されるベースプレート２と、ヒンジ３を介してベースプレート２の一端に回動自在に取り付けられたリフト機構部４とを有している。
【００１９】
ベースプレート２は、全体外形が方形であって、中央に柱Ｐを入れるための所定幅の帯状切欠き２ａが形成され、また四隅にはアンカーＣを打ち込むための透孔５があけられている。
【００２０】
リフト機構部４は、ヒンジ３を介してベースプレート２と連結された基台６と、基台６上における前記ヒンジ３と反対側の幅中央位置に立設された断面方形のレール部材７と、レール部材７に沿って昇降自在な柱搭載部材８とを備えている。
【００２１】
図４および図５に示すように、レール部材７の背面における先端側部分には所定長のラック９が敷設されている。一方、柱搭載部材８は、内部に前記ラック９と噛合し、昇降用ハンドル１１によって回転するピニオン（図示せず）を備えた略角筒状の昇降作動部１２と、昇降作動部１２上に一体に設けられたバイス部１３とで構成されている。
【００２２】
また、前記レール部材７の先端側には、該部と一体または別体構成の支柱棒１０が配置され、該支持棒１０は、レール部材７を水平に支持する。
【００２３】
この他、基台６における柱Ｐ搭載側面には柱Ｐを支持する小径の支持車輪１４が回転自在に設けられている。
【００２４】
なお、図中１５はバイス１３における固定部１３ａに対して可動部１３ｂを接近自在に動かすための把持用ハンドルを示す。
【００２５】
また、本実施形態では、前述したように、ベースプレート２に柱Ｐを入れるための切欠き２ａを形成したが、これに代えて柱Ｐが入る程度の大きさの開口を形成しても良い。
【００２６】
次に、本実施形態に係る建抜柱機１の使用要領について説明すると、図２に示すように、先ず柱Ｐを立てる位置に穴Ｈを掘削しておき、該穴Ｈに切欠き２ａを合わせた状態でベースプレート２を地面に載置し、その四隅の透孔５にアンカーＣを打ち込んでベースプレート２を地面Ｇに固定する。
【００２７】
しかる後、図４に示すように、ベースプレート２に対してリフト機構部４の基台６を直角に立てた状態において、該基台６に柱Ｐの一端Ｐ１が位置するように該柱Ｐを柱搭載部材８のバイス部１３にその把持用ハンドル１５を回して固定する。
【００２８】
そして、図３（ａ）に示すように、作業者Ｍが、柱Ｐを持ち上げてリフト機構部４を９０°前方に回動させ、図３（ｂ）に示すように、柱Ｐを垂直に立てた後、昇降用ハンドル１１を回して柱搭載部材８を下降させることで柱Ｐの下端側部分が穴Ｈ内に入り、柱Ｐの立設が行われる。
【００２９】
一方、立設された柱Ｐを抜き外す場合には、前記の逆の要領で、立設されている柱Ｐの下端側部分を柱搭載部材８のバイス部１３で挟止した後、昇降用ハンドル１１を前記と逆に回して柱搭載部材８を上昇させることで柱Ｐが地面Ｇから引き抜かれる。
【産業上の利用可能性】
【００３０】
本発明の建抜柱機によれば、一人の作業者でもクレーン車を用いることなく、しかも安全かつスムーズに柱の立設並びに抜脱が行えるため、照明灯等の鋼管製ポールをはじめとする種々の柱の立設工事に幅広く利用することが期待できる。
【符号の説明】
【００３１】
１  建抜柱機
２  ベースプレート
３  ヒンジ
４  リフト機構部
６  基台
７  レール部材
８  柱搭載部材
１０  支持棒
【要約】
【課題】クレーン車を使用せずに、一乃至数人の人力で安全且つ容易に、しかも安価に柱の立設並びに抜脱作業が行えるようにする。
【解決手段】  地面Ｇに設置されるベースプレート２と、ヒンジ３を介してベースプレート２の一端に回動自在に取り付けられたリフト機構部４とを有しており、ベースプレート２には、柱Ｐを入れるための切欠き等が形成されており、リフト機構部４は、前記ヒンジ３を介してベースプレート２に連結された基台６と、基台６上に立設されたレール部材７と、レール部材７に沿って昇降自在に設けられた柱搭載部材８とを備えており、柱搭載部材８には柱Ｐを挟止するハンドル付きバイス部１３が一体に設けられている。
【選択図】  図２【図１】
0005116128.tif 000002
【図２】
0005116128.tif 000003
【図３】
0005116128.tif 000004
【図４】
0005116128.tif 000005
【図５】
0005116128.tif 000006